(57)【要約】【課題】  走査光学装置の温度上昇を効率よく抑制し、光学箱の熱膨張を減少させると共に、走査光学装置の温度差を低減し、カラー画像の色の重ね合わせ精度を向上させ、良好な画像を得ることを目的とする。【解決手段】  画像形成装置本体を冷却するための冷却ファンを有した画像形成装置において、走査光学装置の蓋に冷却風を導入する導入路を設けると共に、偏向器上方に向けて冷却風を導入するガイド形状を設ける。【選択図】  図１
2005153305.tif 000002
【特許請求の範囲】
【請求項１】
１つ以上の発光点を有する光源を２つと、回転多面鏡を備えた偏向器と、結像レンズ群と、該結像レンズ群を収容する光学箱と、該光学箱の蓋とを備え、
前記２つの光源から発した光束を前記回転多面鏡の異なる面に入射偏向させて、該回転多面鏡に対して略対称に配置させた２系統の光学部材群を経て偏向走査された光束を所定の面上に集光させる走査光学系を２組設けた走査光学装置を備えており、該画像形成装置本体内部を冷却するための冷却ファンを有した画像形成装置において、
前記走査光学装置の蓋に前記冷却ファンで発生した冷却風を流入させる導入路を設けると共に、前記２組の偏向器上方に向けて前記冷却風を導入するガイド形状が設けられていることを特徴とした画像形成装置。
【請求項２】
前記ガイド形状は、前記光源近傍に冷却風を導入することを特徴とした請求項１記載の走査光学装置。
【請求項３】
前記ガイド形状は、曲面を有することを特徴とした請求項１〜２記載の走査光学装置。
【請求項４】
前記ガイド形状は、トンネル形状を設けたことを特徴とする請求項１〜３記載の走査光学装置。
【請求項５】
前記ガイド形状と、前記画像形成装置本体の壁面とで前記トンネル形状を形成することを特徴とした請求項１〜４記載の走査光学装置。
【請求項６】
前記蓋は、前記冷却ファンから出る冷却風に向かって傾けて設けられたことを特徴とする請求項１〜５走査光学装置。
【発明の詳細な説明】
【技術分野】
【０００１】
本発明は、カラーLBPやカラーデジタル複写機、カラーデジタルFAX等のカラー電子写真装置においてレーザビームを使用して光書き込みを行う走査光学装置に関するものである。
【背景技術】
【０００２】
図１９（従来例１）に示す特開2003-140070号のように、回転多面鏡２０を備えた光偏向器３０、走査レンズ３１、折り返しミラー３２、１つ以上の発光点を有する半導体レーザ１８を２つ含み、前記１つの回転多面鏡２０に対して２本以上の光束を前記回転多面鏡２０に対して対称に偏向し、偏向された光束を前記回転多面鏡２０に対して対称に配置された２系統の前記走査レンズ３１と前記折り返しミラー３２を経て像担持体に導光する走査光学系を２組有し、該２組の走査光学系を内包する光学箱１９を備えた走査光学装置が知られている。
【０００３】
また、図２０（従来例２）に示す特開平9-34338号のように、走査光学装置４４の筐体４３の外周に風路４１、４２を形成した構成がある。
【発明の開示】
【発明が解決しようとする課題】
【０００４】
しかしながら、特開2003-140070号に示す方法のように複数の走査光学系を１つの光学箱に内包した走査光学装置を、特開平9-34338号に示す方法で走査光学装置の温度上昇を抑制し、放熱する場合、発熱源となる光偏向器を複数有するため、外周を冷却するだけでは冷却が不十分である。また、冷却ファンは、画像形成装置本体における発熱源である定着器や電源装置等を冷却するためや装置のスペースの問題から、冷却ファンの設置場所には制約があり、冷却ファンからの冷却風を走査光学装置の発熱源である偏向器や光源等に対して十分に導入出来ない。
【０００５】
十分に冷却されない走査光学装置には、冷却部と非冷却部との温度差が生じ、光学箱や結像レンズ群の熱膨張の不均一という現象が起こる。これにより感光体上の走査線位置がずれてしまい、カラー画像を形成する際の色の重ね合わせにずれが生じ、良好なカラー画像が得られないという問題になる。
【０００６】
本出題に係る発明の目的は、走査光学装置の温度上昇を効率よく抑制し、光学箱の熱膨張を減少させると共に、走査光学装置の温度差を低減し、光学箱や結像レンズ群の不均一な熱変形を減少させることで、カラー画像の色の重ね合わせ精度を向上させ、良好な画像を得ることを目的とする。
【課題を解決するための手段】
【０００７】
上記目的を達成するため、本出題に係る第1の発明は、１つ以上の発光点を有する光源を２つと、回転多面鏡を備えた偏向器と、結像レンズ群と、該結像レンズ群を収容する光学箱と、該光学箱の蓋とを備え、前記２つの光源から発した光束を前記回転多面鏡の異なる面に入射偏向させて、該回転多面鏡に対して略対称に配置させた２系統の光学部材群を経て偏向走査された光束を所定の面上に集光させる走査光学系を２組設けた走査光学装置を備えており、該画像形成装置本体内部を冷却するための冷却ファンを有した画像形成装置において、前記走査光学装置の蓋に前記冷却ファンで発生した冷却風を流入させた導入路が設けてあり、前記蓋には、前記２組の偏向器上方に向けて前記冷却風を導入するガイド形状が設けられていることを特徴とする。
【０００８】
上記構成において、冷却ファンの設置場所に関わらず、導入路を設けることにより走査光学装置に冷却風を導入することができる。また、ガイド形状を用い冷却ファンから流入した冷却風を容易に偏向し、風路を設けることができると共に、冷却ファンの導入口風路の幅を小さくすることで、冷却風の風量を増すことができる。
【０００９】
また、冷却風をガイド形状に積極的に当てることで、冷却効率を高めることができる。
【００１０】
本出題に係る第2の発明は、前記ガイド形状は、前記光源近傍に冷却風を導入することを特徴とする。
【００１１】
上記構成において、発熱源である光源部にも冷却風を導入し、第１の発熱源である偏向器と第２の発熱源である光源部の両方を冷却し、熱膨張を減少させることができる。
【００１２】
本出題に係る第３の発明は、前記蓋に設けた前記ガイド形状は、曲面を有することを特徴とする。
【００１３】
上記構成において、冷却風への抵抗を少なくし、走査光学装置を効率よく温度上昇を抑制すると共に、光学箱の熱変形を減少させることができる。
【００１４】
本出題に係る第４の発明は、前記ガイド形状は、トンネル形状を設けたことを特徴とする。
【００１５】
上記構成において、冷却風の外部への漏れを少なくし、効率よく走査光学装置の温度上昇を抑制させ、光学箱の熱変形を減少させることができる。また、冷却風の騒音をトンネル形状内部に閉じ込め、騒音を小さくすることができる。
【００１６】
本出題に係る第５の発明は、前記蓋のガイド形状と、前記画像形成装置本体との壁面とで前記トンネル形状を形成することを特徴する。
【００１７】
上記構成において、蓋の成型を容易にし、かつ装置の小型化やコスト削減を可能にする。
【００１８】
本出題に係る第6の発明は、前記蓋は前記冷却ファンから出る冷却風に向かって傾けて設けられたことを特徴とする。
【００１９】
上記構成において、冷却風に触れる走査光光学装置の表面積を大きくし、冷却風を積極的に蓋に当てることにより、走査光学装置の温度上昇を効率良く抑制させ、光学箱の熱変形を減少させることができる。
【発明の効果】
【００２０】
以上説明したように、本出題に係る第１の発明によれば、１つ以上の発光点を有する光源を２つと、回転多面鏡を備えた偏向器と、結像レンズ群と、該結像レンズ群を収容する光学箱と、該光学箱の蓋とを備え、前記２つの光源から発した光束を前記回転多面鏡の異なる面に入射偏向させて、該回転多面鏡に対して略対称に配置させた２系統の光学部材群を経て偏向走査された光束を所定の面上に集光させる走査光学系を２組設けた走査光学装置を備えており、該画像形成装置本体内部を冷却するための冷却ファンを有した画像形成装置において、前記走査光学装置の蓋に前記冷却ファンで発生した冷却風を流入する導入路を設けると共に、前記２組の偏向器上方に向けて前記冷却風を導入するガイド形状を設けることで、冷却風の走査光学装置への導入を容易にし、冷却風をガイド形状に積極的に当てることで、走査光学装置の発熱源である偏向器等の冷却効率を高めることができ、走査光学装置の温度上昇を効率よく抑制し、光学箱の熱膨張を減少させると共に、走査光学装置の温度差を低減し、光学箱や結像レンズ群の不均一な熱変形を減少させることで、カラー画像の色の重ね合わせ精度を向上させ、良好な画像を得ることができる。
【００２１】
また、本出題に係る第２の発明によれば、ガイド形状により、前記光源近傍に冷却風を導入することで、発熱源である光源部にも冷却風を導入し、第１の発熱源である偏向器と第２の発熱源である光源部の両方を冷却し、熱膨張を減少させることができ、走査光学装置の温度差により生じた光学箱の不均一な熱膨張をなくし、カラー画像の色重ね精度を向上させ、良好な画像を得ることができる。
【００２２】
本出題に係る第３の発明によれば、ガイド形状に曲面を有することで、冷却風への抵抗を少なくし、走査光学装置を効率良く温度分布を均一にすることができ、光学箱不均一な熱膨張をなくし、走査線の位置ずれ相互差を低減することができる。
【００２３】
本出題に係る第４の発明によれば、前記蓋にトンネル形状を有することで、冷却風の外部への漏れを少なくし、走査光学装置の温度上昇を抑制させると共に、走査光学装置の温度差により生じる光学箱の不均一な熱変形を減少させることができ、カラー画像の色の重ね合わせ精度を向上させることができる。また、冷却風の騒音をトンネル形状内部に閉じ込め、騒音を小さくすることが出来る。
【００２４】
本出題に係る第５の発明によれば、蓋と画像形成装置本体の壁面とでトンネル形状を有することで、蓋の成型を容易にし、かつ装置の小型化やコスト削減にもつながる。
【００２５】
本出題に係る第6の発明によれば、前記蓋を前記冷却風に向かって傾けて設けることで、冷却風を受ける走査光光学装置の表面積を大きくし、走査光学装置の温度上昇を効率良く抑制させると共に、走査光学装置の温度差により生じる光学箱の不均一な熱変形を減少させることができ、走査線の位置ずれやその相互差を低減させることができる。
【発明を実施するための最良の形態】
【００２６】
（第１の実施例）
まず、本発明の第１の実施例にかかるカラー画像形成装置を図１に示す。同図において５１、５２は各々後述する構成よりなる走査光学装置、１Ｃ、１Ｍ、１Ｙ、１ＢＫは各々像担持体としての感光ドラムである。本実施形態においては、画像情報に基づいて各々光変調された各光束（レーザビーム）ＬＣ、ＬＭ、ＬＹ、ＬＢＫが走査光学装置５１、５２から出射し、各々対応する感光ドラム１Ｃ、１Ｍ、１Ｙ、１ＢＫ面上を照射して潜像を形成する。この潜像は１次帯電器２Ｃ、２Ｍ、２Ｙ、２ＢＫによって各々一様に帯電している感光ドラム１Ｃ、１Ｍ、１Ｙ、１ＢＫ面上に形成されており、現像器４Ｃ、４Ｍ、４Ｙ、４ＢＫによって各々、シアン、マゼンダ、イエロー、ブラックの画像に可視像化され、転写ベルト７上を搬送されてくる転写材Ｐに転写ローラ５Ｃ、５Ｍ、５Ｙ、５ＢＫによって順に静電転写されることによってカラー画像が形成される。この後感光ドラム１Ｃ、１Ｍ、１Ｙ、１ＢＫ面上に残っている残留トナーはクリーナー６Ｃ、６Ｍ、６Ｙ、６ＢＫによって除去されて、次のカラー画像を形成するために再度１次帯電器２Ｃ、２Ｍ、２Ｙ、２ＢＫによって一様に帯電される。
【００２７】
上記転写材Ｐは給紙トレイ２１上に積載されており、給紙ローラ２２によって１枚ずつ順に給紙され、レジストローラ２３によって画像の書き出しタイミングに同期をとって転写ベルト７上に送り出される。転写ベルト７上を精度よく搬送されている間に感光ドラム１Ｃ、１Ｍ、１Ｙ、１ＢＫ面上に形成されたシアンの画像、マゼンダの画像、イエローの画像、ブラックの画像が順に転写材Ｐ上に転写されてカラー画像が形成される。駆動ローラ２４は転写ベルトの送りを精度よく行っており、回転ムラの小さな駆動モータ（図示しない）と接続している。転写材Ｐ上に形成されたカラー画像は定着器２５によって熱定着されたのち、排紙ローラ２６などによって搬送されて装置外に出力される。
【００２８】
この画像形成装置において、冷却ファン３は、画像形成装置本体における発熱源である定着器２５や図示しない電源装置等を冷却するために、また装置のスペースの問題から走査光学装置の冷却に対して有効に配置されていない。
【００２９】
図２は本発明の第１の実施例にかかる走査光学装置の構成を説明した図である。
【００３０】
半導体レーザ１０１ａ、１０１ｂから出射されたビームはポリゴンミラー１０２によってそれぞれ異なる方向に走査される。ポリゴンミラーはモータ１０６によって回転している。ポリゴンミラー１０２によって走査されたビームB1、B2はそれぞれ１枚目の走査レンズ１０３ａ、１０３ｂを透過し、折り返しミラー１０４ａ、１０４ｂによって方向を変えられて、2枚目の走査レンズ１０５ａ、１０５ｂを透過し、感光ドラム上に結像する。このような走査光学系を２対並列に並べることで、４つの感光ドラム上に走査光を導いている。このような２組の走査光学系は、１つの光学箱１０７に収納されている。
【００３１】
図３に示すように、本実施例において冷却ファン３の冷却風８が走査方向側から導入路１２１により導入される。
【００３２】
光学箱１０７に向かって流入した冷却風８は、ガイド形状１２０ａ、１２０ｂにより第１の風路１２と第２の風路１３とを形成する。風路１２の下方には走査光学装置の熱源であるモータ１０６aが配置され、図示しないコイルや駆動IC等の発熱体によって昇温した光学箱内雰囲気を冷却すると共に、風路１３の下方には走査光学装置の熱源であるモータ１０６ｂが配置され、図示しないコイルや駆動IC等の発熱体によって昇温した光学箱内雰囲気を冷却する。
【００３３】
また、蓋９は、ガイド形状１４ａ、１４ｂを有する。ガイド形状１４ａは、冷却ファン３に対向する光学箱１０７の側面６３に平行に設け、走査光学装置の熱源であるモータ１０６a、１０６ｂ近傍に備える。ガイド形状１４ｂは、光学箱１０７の周壁６０と平行に設ける。
【００３４】
リブ形状１４ａは、光学箱１０７の周壁６０から６１まで設けても良いし、2つのモータ１０６aの端部から１０６ｂの端部までの長さを有するガイド形状１４であっても良い。
【００３５】
図４は本発明の第１の実施例との比較で、蓋９を前記冷却ファン３から流入した冷却風８に対してガイド形状を設けていない場合の図である。特に説明のない符号については、図２及び図３と同一の構成とする。
【００３６】
冷却風８は蓋９上方を通過し、モータ１０６ａの図示しないコイルや駆動ＩＣ等の発熱体によって昇温した光学箱内雰囲気は冷却されるが、モータ１０６ｂの図示しないコイルや駆動ＩＣ等の発熱体によって昇温した光学箱内雰囲気は冷却されない。また、冷却風を効果的に走査光学装置へ導入することができない。これにより温度上昇による光学箱１０７や結像レンズ群の熱膨張が起こると共に、光学装置内部の不均一な冷却により生じた温度差による光学箱１０７の不均一な熱膨張が起こる。
【００３７】
ここで、光学箱がモータ１０６ａ、１０６ｂの発熱で熱膨張したときの変形を図５に説明する。
【００３８】
走査レンズ１０５ａを透過する走査線を走査線（１）、走査レンズ１０５ｂを透過する走査線を走査線（２）、走査レンズ１０５ｃを透過する走査線を走査線（３）、走査レンズ１０５ｄを透過する走査線を走査線（４）と定義する。
【００３９】
２つのモータ１０６ａ、１０６ｂの図示しないコイルや駆動IC等の発熱により光学箱１０７は熱膨張する。光学箱１０７は２組の走査光学系の略中央部５０においてモータ１０６ａによる膨張とモータ１０６ｂによる膨張が干渉する。このとき本体フレーム１０９に固定具１０８ａにより固定された光学箱１０７は、膨張による応力により反り方向に変形すると共に、光学箱１０７の両端部の周壁６０、６１は外側へ広がる方向へ変動する。（図５断面）
反り方向に変形すると、光学箱１０７略中央部５０は本体フレーム１０９から離れる方向（矢印Ａ方向）へ変動し、折り返しミラー１０４ｂ、１０４ｃの角度が大きくずれ、走査線（２）、（３）の位置が大きくずれる。また、光学箱１０７の周壁６０、６１の広がり方向への変位により、折り返しミラー１０４a、１０４ｄの初期位置からのシフト量が大きくなり、走査線（１）、（４）の位置が大きくずれる。
【００４０】
筆者らの検討（冷却ファン：80mm角、回転数2500rpm、モータ：回転数30000rpm、出力７Wの走査光学装置及び画像形成装置を用いた測定）によると、図６に示すように走査線（１）、（２）と（３）、（４）の相互差が大きくなることがわかる。
【００４１】
また、走査線の位置ずれは走査光学装置の温度上昇や生じた温度差と密接に関係していて、モータ１０６a、１０６ｂを連続回転させたときの走査光学装置に生じた温度差と走査線ずれの相互差の関係を図７に示す。走査線ずれの相互差は、走査光学装置の温度差が大きくなるほど増大することがわかる。
【００４２】
また、走査光学装置の温度差において、本発明にかかる第１の実施例を用いた場合と図４のように蓋にガイド形状がない場合（以下、対策前）の比較検討を行うと、図８の示す結果となる。
【００４３】
図７、８より、本発明にかかる第1の実施例（図３）のように蓋９のガイド形状１２０ａ、１２０ｂにより冷却風８の風路１２、１３を形成することで、２つのモータ１０６ａ、１０６ｂの図示しないコイルや駆動IC等の発熱による走査光学装置の温度差を約３℃低減でき、走査線ずれの相互差は約４０％減少する。
【００４４】
よって本実施例を用いると、冷却ファンの設置位置に関わらず、導入路を設けることにより走査光学装置に冷却風を導入することができる。また、ガイド形状を用い冷却ファンから流入した冷却風を容易に偏向し、発熱源である２つのモータを効果的に冷却する風路を設けることができると共に、冷却ファンの導入口風路の幅を小さくすることで、冷却風の風量を増すことが出来る。また、冷却風をガイド形状に積極的に当てることで、冷却効率を高めることが出来る。
【００４５】
これにより、走査光学装置の温度上昇を効率よく抑制し、光学箱の熱膨張を減少させると共に、走査光学装置の温度差を低減し、光学箱や結像レンズ群の不均一な熱変形を減少させることで、カラー画像の色の重ね合わせ精度を向上させ、良好な画像を得ることができる。
【００４６】
次に、本発明にかかる他の実施例を説明する。
【００４７】
以下の各実施例では、第１の実施例と異なる点のみを説明するものとし、第１の実施例と同一の構成部分については同一の符号を付して説明を省略する。
【００４８】
（第２の実施例）
図９は、第２実施例における走査光学装置の構成を説明した図であり、図３と同一の符号は同一の部材を表している。
【００４９】
蓋９は、ガイド形状１５ａ、１５ｂを有する。ガイド形状１５ａは、風路１２の冷却風８を第２の熱源である光源１０１へ流入させるためガイド形状であり、ガイド形状１５ｂは、風路１２の冷却風８を第２の熱源である光源１１０へ流入させるためガイド形状である。ガイド形状１５ａ、１５ｂは、ガイド形状１４ｂ、１４ａと接して設けても良いし、別体で設けても良い。また、ガイド形状１４ａは、光源部１０１、１１０上方への冷却風の流入を妨げないように一定の間隔を有しても良いし、設けなくても良い。
【００５０】
走査光学装置の温度差において、本発明にかかる第２の実施例を用いた場合と対策前の比較検討を行うと、図１０の示す結果となる。
【００５１】
図７、１０より、本発明にかかる第1の実施例（図３）のように蓋９のガイド形状１２０ａ、１２０ｂにより冷却風８の風路１２、１３を形成することで、２つのモータ１０６ａ、１０６ｂの図示しないコイルや駆動IC等の発熱による走査光学装置の温度差を約５℃低減でき、走査線ずれの相互差は約６５％減少する。
【００５２】
よって本実施例を用いると、冷却ファンから導入した冷却風を、第１の発熱源であるモータに加え、第２の発熱源である光源部を冷却させることができる。このため、走査光学装置の温度上昇を低減できると共に、走査光学装置の温度分布の不均一を減少させることができ、光学箱の熱膨張の低減や熱膨張の均一化により、カラー画像の色重ね精度を向上させ良好な画像を得ることができる。
【００５３】
（第３の実施例）
図１１は、第３実施例における走査光学装置の構成を説明した図であり、図３と同一の符号は同一の部材を表している。
【００５４】
蓋９は、風路を形成するためのガイド形状１２０ａ、１２０ｂ、１４ａ、１４ｂ、１５ａ、１５ｂを有する。ガイド形状１２０ａ、１２０ｂ、１４ａ、１５ａ、１５ｂのうち少なくとも１つは曲面を有していて、風路１２、１３下方に走査光学装置の第1の熱源であるモータ１０６a、１０６ｂを配置する。ガイド形状１５ａ、１５ｂは曲面を有していて、冷却風下方に第２の熱源である光源１０１、１１０を配置する。また、ガイド形状１２０ａ、１２０ｂ、１４ａ、１４ｂ、１５ａ、１５ｂは、少なくとも１つを有していれば良い。ガイド形状１２０ａ、１２０ｂ、１４ａ、１５ａ、１５ｂは、曲面部と直線部を別体で設けていても良いし、曲線部と直線部とを一体の形状で設けても良い。また、ガイド形状１４ａは、光学箱１０７の周壁６０から６１まで設けても良いし、2つのモータ１０６aの端部から１０６ｂの端部までの長さを有するガイド形状１４であっても良い。
【００５５】
走査光学装置の温度差において、本発明にかかる第３の実施例を用いた場合と対策前とを比較検討すると、図１２の示す結果となる。
【００５６】
図７、１２から、本発明の第３実施例を用いることで、２つのモータ１０６ａ、１０６ｂの図示しないコイルや駆動IC、光源等の発熱による走査光学装置の温度差を約５℃低減でき、走査線のずれ相互差は約６５％減少する。
【００５７】
よって本実施例を用いると、冷却ファンから流入した冷却風への抵抗を少なくし、偏向した冷却風により形成された風路下方に熱源を配置することで走査光学装置の温度上昇を低減できと共に、走査光学装置の温度分布の不均一を減少させることができる。このため、光学箱の熱膨張の低減や熱膨張の均一化により、カラー画像の色重ね精度を向上させ良好な画像を得ることができる。
という効果が期待できる。
【００５８】
（第４の実施例）
図１３は、第４実施例における走査光学装置の構成を説明した図であり、図１０と同一の符号は同一の部材を表している。
【００５９】
蓋９にはトンネル形状１６が形成されている。トンネル形状１６は、スライドや射出発泡成形等により形成されるか、もしくは複数個の部品を組み合わせて形成される。
【００６０】
トンネル形状１６は、ガイド形状１４ｂと、ファン３に対向する周壁６３ａに平行なガイド形状６３ｂ、周壁６２ａに平行なガイド形状６２ｂにより形成される。
【００６１】
また、ガイド形状６３ｂは、冷却ファン３からの冷却風８の導入口近傍までの長さであると共に、ガイド形状１２０ａ、１２０ｂ、１４ａ、１４ｂ、１５ａ、１５ｂを有していても良い。各ガイド形状はは、直線であっても良いし、曲線を有していても良い。
【００６２】
走査光学装置の温度差において、本発明にかかる第４の実施例を用いた場合と対策前とを比較検討すると、図１３の示す結果となる。
【００６３】
図７、１４から、本発明の第４実施例を用いることで、２つのモータ１０６ａ、１０６ｂの図示しないコイルや駆動ICの発熱による走査光学装置の温度差を約６℃低減でき、走査線ずれの相互差は約７０％減少する。
【００６４】
よって本実施例を用いると、冷却ファンから流入した冷却風を走査光学装置の外部に漏らさず、走査光学装置の熱源を効率よく冷却することができる。これにより走査光学装置の温度上昇を低減し、温度分布や光学箱の熱膨張の不均一を減少させ、カラー画像の色重ね精度を向上させ良好な画像を得ることができる。また、冷却風の騒音を外部に漏らさず、騒音を低減できる。
という効果が期待できる。
【００６５】
（第５の実施例）
図１５は、第５実施例における走査光学装置の構成を説明した図であり、図1及び図１３と同一の符号は同一の部材を表している。
【００６６】
トンネル形状１６は、蓋９のガイド形状１４ｂと図示しないファン３に対向する周壁６２ｂ、６３ｂ（図１３）と、前記画像形成装置本体の壁面１７とで形成されている。
【００６７】
また、ガイド形状１２０ａ、１２０ｂ、１４ａ、１４ｂ、１５ａ、１５ｂを設けていても良いし、各ガイド形状は、直線であっても良いし、曲線であっても良い。
【００６８】
走査光学装置の温度差において、本発明にかかる第５の実施例を用いた場合と対策前とを比較検討すると、図１５の示す結果となる。
【００６９】
図７、１６から、本発明の第５実施例を用いることで、２つのモータ１０６ａ、１０６ｂの図示しないコイルや駆動IC等の発熱による走査光学装置の温度差を約６℃低減でき、走査線ずれの相互差は約７０％減少する。
【００７０】
よって本実施例を用いると、冷却ファンから流入した冷却風を走査光学装置の外部に漏らさず、走査光学装置の熱源を効率よく冷却することができる。これにより走査光学装置の温度上昇を低減し、温度分布や光学箱の熱膨張の不均一を減少させることで、カラー画像の色重ね精度を向上させ良好な画像を得ることができる。
【００７１】
また、トンネル形状の一部を画像形成装置本体の壁面とすることで、蓋の成型を容易にし、かつ装置小型化やコストダウンにつながる。
という効果が期待できる。
【００７２】
（第６の実施例）
図１７は、第６実施例における走査光学装置の構成を説明した図であり、図３と同一の符号は同一の部材を表している。
【００７３】
蓋９は冷却風８に向かって傾けて設けられている。
【００７４】
傾けられた蓋９には、ガイド形状１２０ａ、１２０ｂ、１４ａ、１４ｂ、１５ａ、１５ｂのうち少なくとも１つを有していて、ガイド形状１２０ａ、１２０ｂ、１４ａ、１４ｂ、１５ａ、１５ｂは、直線であっても良いし、曲線を有していても良い。また、蓋９はトンネル形状を有していても良いし、蓋９と画像形成装置本体の壁面を用いてトンネルを形成していても良い。
【００７５】
走査光学装置の温度差において、本発明にかかる第６の実施例を用いた場合と対策前とを比較検討すると、図１８の示す結果となる。
【００７６】
図７、１８から、本発明の第６実施例を用いることで、２つのモータ１０６ａ、１０６ｂの図示しないコイルや駆動IC等の発熱による走査光学装置の温度差を約７℃低減でき、走査線ずれの相互差は約７５％減少する。
【００７７】
よって本実施例を用いると、冷却風に触れる走査光光学装置の表面積を大きくし、冷却風を積極的に蓋に当てることにより、走査光学装置の温度上昇を効率良く抑制させ光学箱の熱変形を減少させることができ、カラー画像の色重ね精度を向上させ、良好な画像を得ることができる。
という効果が期待できる。
【図面の簡単な説明】
【００７８】
【図１】本発明の実施例によるカラー画像形成装置を示す図である。
【図２】本発明の走査光学装置の構成を説明する図である。
【図３】本発明における第１実施例の構成を説明した図である。
【図４】第１実施例の効果を比較する図である。
【図５】第１実施例における熱膨張時の変形を説明する図である。
【図６】モータ連続回転時の走査光学装置の時間に対する照射位置ずれ量を示した図である。
【図７】モータ連続回転時の走査光学装置の温度上昇と走査線の変動の関係を示した図である。
【図８】モータ連続回転時に生じた走査光学装置の温度差において、第１の実施例と対策前とを比較検討した結果である。
【図９】本発明における第２実施例の構成を説明する図である。
【図１０】モータ連続回転時に生じた走査光学装置の温度差において、第２の実施例と対策前とを比較検討した結果である。
【図１１】本発明における第３実施例の構成を説明する図である。
【図１２】モータ連続回転時に生じた走査光学装置の温度差において、第３の実施例と対策前とを比較検討した結果である。
【図１３】本発明における第４実施例の構成を説明する図である。
【図１４】モータ連続回転時に生じた走査光学装置の温度差において、第４の実施例と対策前とを比較検討した結果である。
【図１５】本発明における第５実施例の構成を説明する図である。
【図１６】モータ連続回転時に生じた走査光学装置の温度差において、第５の実施例と対策前とを比較検討した結果である。
【図１７】本発明における第６実施例の構成を説明する図である。
【図１８】モータ連続回転時に生じた走査光学装置の温度差において、第６の実施例と対策前とを比較検討した結果である。
【図１９】従来例１の構成を説明した図である。
【図２０】従来例２の構成を説明した図である。
【符号の説明】
【００７９】
９  蓋
１２、１３  風路
１４ａ、１４ｂ  ガイド形状
１５ａ、１５ｂ  ガイド形状
１６  トンネル形状
１７  画像形成装置壁面
５１、５２  走査光学装置
６０、６１、６２ａ、６３ａ  光学箱周壁
６２ｂ、６３ｂ  ガイド形状
ＬＣ、ＬＭ、ＬＹ、ＬＢＫ  光束
１０１ａ、１０１ｂ  半導体レーザ
１０２  ポリゴンミラー
１０３ａ、１０３ｂ、１０３ｃ、１０３ｄ  １枚目の走査レンズ
１０４ａ、１０４ｂ、１０４ｃ、１０４ｄ  折り返しミラー
１０５ａ、１０５ｂ、１０５ｃ、１０５ｄ  2枚目の走査レンズ
１０６ａ、１０６ｂ  スキャナモータ
１０７  光学箱
（１）、（２）、（３）、（４）  走査線
【図１】
2005153305.tif 000003
【図２】
2005153305.tif 000004
【図３】
2005153305.tif 000005
【図４】
2005153305.tif 000006
【図５】
2005153305.tif 000007
【図６】
2005153305.tif 000008
【図７】
2005153305.tif 000009
【図８】
2005153305.tif 000010
【図９】
2005153305.tif 000011
【図１０】
2005153305.tif 000012
【図１１】
2005153305.tif 000013
【図１２】
2005153305.tif 000014
【図１３】
2005153305.tif 000015
【図１４】
2005153305.tif 000016
【図１５】
2005153305.tif 000017
【図１６】
2005153305.tif 000018
【図１７】
2005153305.tif 000019
【図１８】
2005153305.tif 000020
【図１９】
2005153305.tif 000021
【図２０】
2005153305.tif 000022